(57)【要約】【課題】壁面構築パネルユニットを複数体集合させて集合壁面を構築しながら一連なりの壁面を構築する壁面構築パネルユニットの連結構造を提供すること。【解決手段】金属製枠組立体２と、金属製枠組立体の少なくとも一方の面に重ね合わせ状に固着される壁面パネル層１とからなる壁面構築パネルユニットＵを、その壁面パネル層の表面が面一になるように、隣接するパネルユニットの端縁面を突き合わせ状に連結する連結構造であって、壁面構築パネルユニットは、両端縁面の間を貫通する連結ボルト案内手段１１を備え、少なくとも２枚の壁面構築パネルユニットの端縁面を突き合わせた状態で、連結ボルト案内手段に連結ボルト１２を挿通して、隣接するパネルユニットを連結して一連なりの集合壁面を構築するようになした壁面構築パネルユニットの連結構造。【選択図】図１
2005127023.tif 000002
【特許請求の範囲】
【請求項１】
金属製枠組立体と、前記金属製枠組立体の少なくとも一方の面に重ね合わせ状に固着される壁面パネル層とによって構成される壁面構築パネルユニットを、その壁面パネル層の表面が面一になるように、隣接する壁面構築パネルユニットの端縁面を突き合わせ状に連結する壁面構築パネルユニットの連結構造であって、前記壁面構築パネルユニットは、その両端縁面の間を貫通する連結ボルト案内手段を備え、少なくとも２枚の壁面構築パネルユニットの端縁面を突き合わせた状態で、前記連結ボルト案内手段に連結ボルトを挿通して、隣接する壁面構築パネルユニットを連結し、一連なりの集合壁面を構築するようになしたことを特徴とする壁面構築パネルユニットの連結構造。
【請求項２】
前記壁面構築パネルユニットにおける金属製枠組立体が、外周枠体、縦補強梁、横補強梁および剛域機構を含むものからなり、前記金属製枠組立体における少なくとも外周枠体がリップ溝型鋼により構成されて、前記リップ溝型鋼における長さ方向に沿ってのびるチャンネル開口が該金属製枠組立体の外方向に向いて組み立てられていて、隣接する壁面構築パネルユニットの一方の端縁面に前記リップ溝型鋼のチャンネル開口に嵌まり合うガイド部材を設けたことを特徴とする請求項１に記載の壁面構築パネルユニットの連結構造。
【請求項３】
前記金属製枠組立体の外周枠体における下縁枠に、所定の間隔を隔てて、外周枠体の内側から外側に向けて出没する一対の高さ調節ボルトでなる高さ調節手段を備えてなることを特徴とする請求項１あるいは請求項２に記載の壁面構築パネルユニットの連結構造。
【請求項４】
前記金属製枠組立体の外周枠体における両側枠に、隣接する壁面構築パネルユニットを上下方向にレベル合わせするための上下方向レベル合わせ手段を設けたことを特徴とする請求項１〜請求項３のいずれかに記載の壁面構築パネルユニットの連結構造。
【請求項５】
金属製枠組立体と、前記金属製枠組立体の少なくとも一方の面に重ね合わせ状に固着される壁面パネル層とによって構成される壁面構築パネルユニットを、その壁面パネル層の表面が面一になるように、隣接する壁面構築パネルユニットの端縁面を突き合わせ状に連結する壁面構築パネルユニットの連結構造であって、前記壁面構築パネルユニットは、その両端縁面の間を貫通する連結ボルト案内手段を備え、少なくとも２枚の壁面構築パネルユニットの端縁面を突き合わせた状態で、前記連結ボルト案内手段に連結ボルトを挿通して、隣接する壁面構築パネルユニットを連結する工程と、連結された前記壁面構築パネルユニットにおける壁面パネル層の外表面に漆喰などを上塗りして表装材層を形成する工程とからなることを特徴とする壁面構築パネルユニットの連結施工方法。
【請求項６】
前記壁面構築パネルユニットにおける壁面パネル層の外表面に表装材層を上塗りする前に、前記壁面構築パネルユニットの突き合わせ状連結部分を包囲するようにして、仕上げられた表装材層のひび割れを防止するためのひび割れ防止材層を設ける工程を含むものからなることを特徴とする請求項５に記載の壁面構築パネルユニットの連結施工方法。
【発明の詳細な説明】
【技術分野】
【０００１】
この発明は、一単位の壁面構築パネルユニットを複数体集合させて、一連なりの集合壁面を構築するような場合、隣接する壁面構築パネルユニットの面合わせ、上下レベル合わせを、より省力的に、且つ、より確実に行い得るようになした壁面構築パネルユニットの連結構造に関するものである。
【背景技術】
【０００２】
周知のように、従来、一単位の壁面構築パネルユニットによって、一連なりの壁面を構築する構成のものとしては、例えば、特許文献１〜３に記載の技術内容のものが開発さて、提供されてきている。特許文献１に記載のものは、壁パネルの取付構造に関するものであって、隣接する壁パネル相互間を面合わせして連結する手段として、フラットバー１０並びに断面略コの字状のキャップ１１を用いる構成のものである。この特許文献１に記載の壁パネルの取付構造のものでは、隣接する壁パネル相互間にフラットバーが介在するため、隣接する壁パネル相互間を隙間（目地）なく密着連結することができず、しかも、隣接する壁パネルの連結作業に手間がかかるなどの問題点を有している。
【０００３】
一方、特許文献２に記載のものは、壁パネルの連結構造、連結方法並びに連結金具に関するものであって、テーパー状のガイド体３を備えた固定板１を、予め壁パネルの上縁に取り付けておき、この固定板１におけるガイド体３に嵌まり合う挿通孔６を備えた連結板４を嵌め合わせて、隣接する壁パネルを連結するように構成したものである。この特許文献２に記載の壁パネルの連結構造の場合も、固定板１並びに連結板４が、壁パネルの上縁の外側に突出する構成のものであること、並びに、固定板１並びに連結板４の取付け、組み立てに手間がかかるなどの問題点を有するものである。
【０００４】
一方、特許文献３に記載のものは、壁パネルの面合わせ治具に関するものであって、一人の作業者がパネル厚みの異なる隣接するパネルの突き合わせ表面をパネル裏面側で面一にできるようにするための面合わせ治具である。この特許文献３に記載の壁パネルの面合わせ治具による壁パネルの連結構造の場合も、当然のことながら、隣接するパネル相互間に隙間が形成されてしまうという問題点を有するものであった。
【０００５】
【特許文献１】特開平１１−２８０１４３号公報（要約、図１）
【特許文献２】特開平１１−３２４１０７号公報（要約、図１、図３、図４）
【特許文献３】特開平９−１１９２２０号公報（要約、図１、図２）
【発明の開示】
【発明が解決しようとする課題】
【０００６】
そこで、この発明では、上記する従来技術の問題点を解消すべくなしたものであって、特に重要な要素は、一単位の壁面構築パネルユニットを複数体集合させて集合壁面を構築しながら一連なりの壁面を構築するものであり、隣接する壁面構築パネルユニットの面合わせ、上下レベル合わせをも、より省力的に、且つ、より確実に行い得るようになした壁面構築パネルユニットの連結構造を提供するものである。
【課題を解決するための手段】
【０００７】
この発明は、上記する目的を達成するにあたって、請求項１に記載の発明は、金属製枠組立体と、前記金属製枠組立体の少なくとも一方の面に重ね合わせ状に固着される壁面パネル層とによって構成される壁面構築パネルユニットを、その壁面パネル層の表面が面一になるように、隣接する壁面構築パネルユニットの端縁面を突き合わせ状に連結する壁面構築パネルユニットの連結構造であって、前記壁面構築パネルユニットは、その両端縁面の間を貫通する連結ボルト案内手段を備え、少なくとも２枚の壁面構築パネルユニットの端縁面を突き合わせた状態で、前記連結ボルト案内手段に連結ボルトを挿通して、隣接する壁面構築パネルユニットを連結し、一連なりの集合壁面を構築するようになしたことを特徴とする壁面構築パネルユニットの連結構造を構成するものである。
【０００８】
さらに、この発明において請求項２に記載の発明は、請求項１に記載の壁面構築パネルユニットの連結構造であって、前記壁面構築パネルユニットにおける金属製枠組立体が、外周枠体、縦補強梁、横補強梁および剛域機構を含むものからなり、前記金属製枠組立体における少なくとも外周枠体がリップ溝型鋼により構成されており、前記リップ溝型鋼における長さ方向に沿ってのびるチャンネル開口が該金属製枠組立体の外方向に向いて組み立てられていて、隣接する壁面構築パネルユニットの一方の端縁面に前記リップ溝型鋼のチャンネル開口に嵌まり合うガイド部材を設けたことを特徴とするものである。
【０００９】
さらにまた、この発明において請求項３に記載の発明は、請求項１あるいは請求項２に記載の壁面構築パネルユニットの連結構造であって、前記金属製枠組立体の外周枠体における下縁枠に、所定の間隔を隔てて、外周枠体の内側から外側に向けて出没する一対の高さ調節ボルトでなる高さ調節手段を備えてなることを特徴とするものである。
【００１０】
さらにまた、この発明において請求項４に記載の発明は、請求項１〜請求項３のいずれかに記載の壁面構築パネルユニットの連結構造であって、前記金属製枠組立体の外周枠体における両側枠に、隣接する壁面構築パネルユニットを上下方向にレベル合わせするための上下方向レベル合わせ手段を設けたことを特徴とするものでもある。
【００１１】
さらにまた、この発明において請求項５に記載の発明は、具体的には、金属製枠組立体と、前記金属製枠組立体の少なくとも一方の面に重ね合わせ状に固着される壁面パネル層とによって構成される壁面構築パネルユニットを、その壁面パネル層の表面が面一になるように、隣接する壁面構築パネルユニットの端縁面を突き合わせ状に連結する壁面構築パネルユニットの連結構造であって、前記壁面構築パネルユニットは、その両端縁面の間を貫通する連結ボルト案内手段を備え、少なくとも２枚の壁面構築パネルユニットの端縁面を突き合わせた状態で、前記連結ボルト案内手段に連結ボルトを挿通して、隣接する壁面構築パネルユニットを連結する工程と、連結された前記壁面構築パネルユニットにおける壁面パネル層の外表面に漆喰などを上塗りして表装材層を形成する工程とからなる壁面構築パネルユニットの連結施工方法を構成するものである。
【００１２】
さらに、この発明において請求項６に記載の発明は、請求項５に記載の壁面構築パネルユニットの連結施工方法であって、前記壁面構築パネルユニットにおける壁面パネル層の外表面に表装材層を上塗りする前に、前記壁面構築パネルユニットの突き合わせ状連結部分を包囲するようにして、仕上げられた表装材層のひび割れを防止するためのひび割れ防止材層を設ける工程を含むものからなることを特徴とするものでもある。
【発明の効果】
【００１３】
この発明になる壁面構築パネルユニットの連結構造によれば、まず第１に、前記壁面構築パネルユニットは、その両端縁面の間を貫通する連結ボルト案内手段を備え、少なくとも２枚の壁面構築パネルユニットの端縁面を突き合わせた状態で、前記連結ボルト案内手段に連結ボルトを挿通して、隣接する壁面構築パネルユニットを連結し、一連なりの集合壁面を構築するように構成した点において、隣接する各壁面構築パネルユニットの端縁面間を隙間なく密着した状態で、且つ、隣接する相互の壁面構築パネルユニットを面一に面合わせした状態で、より省力的に壁面構築が可能であり、極めて有効に作用するものといえる。
【００１４】
さらに、この発明になる壁面構築パネルユニットの連結構造によれば、ガイド部材、高さ調節手段並びに上下方向レベル合わせ手段を適宜組み合わせて構成することにより、より省力的に、且つ、より迅速に壁面構築が可能であり、工期の短縮化などの点においても極めて有効に作用するものといえる。
【発明を実施するための最良の形態】
【００１５】
以下、この発明になる壁面構築パネルユニットの連結構造について、図面に示す具体的な実施例に基づいて詳細に説明する。図１は、この発明になる壁面構築パネルユニットの連結構造の具体的な構成例を示すものであって、３枚の壁面構築パネルユニットを連結して、一つの集合壁面を構築する態様例を示す概略的な正面図であり、図２Ａは、図１に示す態様例を右サイドからみた概略的な右側面図であり、図２Ｂは、図１に示す態様例を上からみた概略的な平面図である。
【００１６】
一方、図３は、金属製枠組立体の両面に壁面パネル層を有する３枚の壁面構築パネルユニットを連結し、一つの集合壁面を構築する態様例を示す概略的な正面図であり、図４は、上記図３に示す態様例について、これを右サイドからみた概略的な右側面図である。
【００１７】
さらに、図５は、上記図３に示す態様例に関して、図３中、５Ｘ−５Ｘ線に沿って矢示方向にみた部分的に破断した概略的な５Ｘ−５Ｘ線拡大断面図である。図６は、上記図３に示す態様例に関して、図３中、６Ｙ−６Ｙ線に沿って矢示方向にみた下部構造の詳細を示す概略的な拡大断面図であり、図７は、図３中、６Ｙ−６Ｙ線に沿って矢示方向にみた上部構造の詳細を示す概略的な拡大断面図であり、図８は、図７におけるイナズマ金具の取付け部の詳細を一部破断して示す概略的な斜視図である。図９は、壁面構築パネルユニットＵの具体的な構成例を示す概略的な正面図である。図１０は、壁面構築パネルユニットＵに関して、突き合わせ連結部の具体的な構成例を示す概略的な斜視図である。
【００１８】
この発明になる壁面構築パネルユニットＵは、基本的には、金属製枠組立体２に壁面パネル層１を重ね合わせ状に固着したものからなっている。前記金属製枠組立体２は、前記壁面パネル層１の裏面側１ｂに重ね合わせ状に組み合わされていて、ボルト−ナット等の適宜固定連結手段（図示せず）によって固定連結されている。他の実施例において、前記壁面パネル層１は、前記金属製枠組立体２の両面に形成されるものであってもよい。
【００１９】
この発明の一例において、前記壁面パネル層１は、その表面側１ａに、例えば金属板、本石、石調シートあるいはこれに類する板体でなる一枚のパネル材、さらにはタイル片、陶磁器片、天然石片、金属片、ガラス片、漆喰層、その他これらに類する材料片でなるプレート片の集合体等の表装手段３を全面的に貼り合わせた化粧壁パネルに構成したものであってもよい。
【００２０】
この発明において、前記壁面パネル層１は、例えば、気泡コンクリート成形体をオートクレーブ養成処理によって造られるものであって、軽量性、加工容易性並びに適度の強度性等の点において優れた特性を有する軽量気泡コンクリートパネル、あるいはセメントの押し出し成形によって供される押し出し成形セメントパネル、プレキャストコンクリート成形パネル、石綿セメント硅酸カルシウム成形パネル、石綿セメント成形パネル等の耐火性、あるいは防火性を有するものからなっている。
【００２１】
この発明において、前記壁面構築パネルユニットＵの幅寸法Ｗ１ 、長さ寸法Ｌ１ は、構築施工すべき建造物における予めユニット化される壁面ユニットサイズに符合するように設計されるものであって、この発明の範囲において自由に選定されるものである。
【００２２】
また、この発明において、前記壁面パネル層１の表面側１ａに表装手段３を貼り合わせるための接合層手段４は、短繊維を混入してなる防水性を有する補強モルタル、あるいは、樹脂モルタル層の中間に５ｍｍ程度の格子状のガラス繊維ネットを配した構造のもの等によって構成される。前記接合層手段４は、例えば、当該壁面パネル層１に金属製枠組立体２を取り付ける際に、壁面パネル層１に対して設けられる比較的大きな取り付け孔の内部にも入り込むようになっていて、それによって前記表装手段３を前記壁面パネル層１の表面側１ａに対して強固に固定することができるようになっている。
【００２３】
前記壁面パネル層１の表面側１ａに、前記接合層手段４を介して貼り合わされる表装材料３は、例えば、プレート片の集合でなり、前記プレート片は、平面長方形状のタイル片等によって構成される。前記プレート片は、タイル片の他に、陶磁器片、天然石片、金属片、ガラス片あるいはその他これに類する材料片からなるものであってもよい。タイル片でなる前記表装材料３は、予め設定されるパターンに従って、所定の目地間隔をおいて配置されており、それによって所望のパネル表面模様を具現するものであり、前記タイル片相互の間に形成される目地部分は、目地剤によって目地処理してある。
【００２４】
一方、この発明において、前記金属製枠組立体２は、矩形の外周枠体５と縦補強梁６Ａ−横補強梁６Ｂおよび仮想線で示すような態様の剛域９を含むものとして構成されており、好ましくはそれぞれがリップ溝型鋼７によって構成されるものである。このリップ溝型鋼７は、比較的幅広い一対の側壁７ａ、７ｂ、及び比較的幅狭い一対の側壁７ｃ、７ｄの横断面矩形体にあって、そのうちの一側壁７ａに長さ方向に沿ってのびるチャンネル開口８を備えたチャンネル型材である。前記枠組立体２における外周枠体５は、リップ溝型鋼７における一側壁７ａが外向きになるよう、すなわち、前記チャンネル開口８が枠体の外側に向くように組み立てられている。
【００２５】
この発明において、前記枠組立体２の厚さ寸法ｔは、実質的には、リップ溝型鋼７の横断面形状における長幅外寸法に等しいものであって、一例において約１００ｍｍ程度のものである。前記枠組立体２において、前記補強梁６Ａ、６Ｂは、前記外周枠体５と同様のリップ溝型鋼７によるものであってもよいし、あるいは、横断面矩形の型鋼材によるものであってもよい。
【００２６】
一方、前記枠組立体２における前記剛域機構９は、壁面構築パネルユニットＵにおける枠組立体２の枠内であって、枠組立体２の厚さ寸法ｔ内に収まるように組み合わせ構成されている。この発明において、前記剛域機構９では、圧縮力による剛域の構築をなすものであって、前記外周枠体５と同様のリップ溝型鋼７によるものであってもよい。この場合、枠組立体２の厚さ寸法ｔと剛域機構９の厚さ寸法とは等しくなる。また、この剛域機構９は、横断面矩形の型鋼材によるものであってもよい。この場合、剛域機構９の厚さ寸法は、枠組立体２の厚さ寸法ｔに等しいものであってもよいし、あるいは、枠組立体２の厚さ寸法ｔより僅かに小さなものであってもよい。
【００２７】
次いで、この発明になる壁面構築パネルユニットＵを用いた連結構造について、図１並びに図９を参照して詳細に説明する。まず、この発明では、図９に示すような壁面構築パネルユニットＵが、工場サイドにおける工場生産ラインにのって製造され準備される。
【００２８】
図９に示す実施例において、前記壁面構築パネルユニットＵは、壁面パネル層１と、前記壁面パネル層１の一方の面１ｂに重ね合わせ状に固着される金属製枠組立体２とによって構成されている。この発明では、当該壁面構築パネルユニットＵを、その壁面パネル層１の表面１ａが面一になるように、隣接する壁面構築パネルユニットＵの端縁面Ｕａ、Ｕｂを突き合わせ状に連結する壁面構築パネルユニットＵの連結構造である。前記壁面構築パネルユニットＵは、その両端縁面Ｕａ、Ｕｂの間を貫通する連結ボルト案内手段１１を備え、少なくとも２枚の壁面構築パネルユニット、図１ないし図３に示す実施例において、第１の壁面構築パネルユニットＵ１、第２の壁面構築パネルユニットＵ２、第３の壁面構築パネルユニットＵ３の３枚の壁面構築パネルユニットを、その端縁面Ｕａ、Ｕｂを突き合わせた状態で、前記連結ボルト案内手段１１に連結ボルト１２を挿通して、隣接する壁面構築パネルユニットを連結し、一連なりの集合壁面ＡＷを構築するものである。
【００２９】
この発明において、壁面構築パネルユニットＵにおける金属製枠組立体２は、外周枠体５、縦補強梁６Ａ、横補強梁６Ｂおよび剛域機構９を含むものからなっており、前記金属製枠組立体２における少なくとも外周枠体５がリップ溝型鋼７により構成されていて、前記リップ溝型鋼７における長さ方向に沿ってのびるチャンネル開口８が該金属製枠組立体２の外方向に向いて組み立てられている。この発明では、隣接する壁面構築パネルユニットＵの一方の端縁面Ｕａに前記リップ溝型鋼７のチャンネル開口８に嵌まり合うガイド部材１３が設けてある。この発明において、前記ガイド部材１３は、前記壁面構築パネルユニットＵにおける高さ方向の一方の端縁面Ｕｃに対しても同様の構成により設けておくこともでき、当該壁面構築パネルユニットＵを縦方向に連結する場合に有効である。
【００３０】
さらに、この発明において、前記金属製枠組立体２の外周枠体５における下縁枠５ａに対して、所定の間隔を隔てて、外周枠体の内側から外側に向けて出没する一対の高さ調節ボルト１５により構成される高さ調節手段１４が設けてある。
【００３１】
さらにまた、この発明において、前記金属製枠組立体２の外周枠体５における両側枠５ｃ、５ｄには、隣接する壁面構築パネルユニットを上下方向にレベル合わせするための上下方向レベル合わせ手段１６が設けてある。
【００３２】
次いで、図５に基づいて、この発明になる壁面構築パネルユニットの連結構造の詳細について説明する。この発明では、工場サイドにおいて、前記壁面構築パネルユニットＵが準備される。この壁面構築パネルユニットＵは、施工現場に持ち込まれる。施工現場では、予め設計される所望の建造物のためのコンクリート基礎２１が一部地上に露出する態様で地中に打設によって形成される。図１および図３に示す具体的な実施例によれば、前記コンクリート基礎２１には、生地支柱２２が設けられており、前記生地支柱２２の上部側には、取付け部材２２ａを介在して上部生地梁２３が架設支持されている。前記コンクリート基礎２１に関連して、その下部側には、下部生地梁２４が設けてある。
【００３３】
この発明では、先ず、第１の壁面構築パネルユニットＵ１が、所定の部所に施工され、その後に、第２の壁面構築パネルユニットＵ２が、第１の壁面構築パネルユニットＵ１における端縁面Ｕｂに対して、パネルユニットＵ２における端縁面Ｕａが当接するように組み立てられる。この場合、前記第２の壁面構築パネルユニットＵ２の端縁面Ｕａに設けたガイド部材１３が、前記第１の壁面構築パネルユニットＵ１における端縁面Ｕｂ側のチャンネル開口８に嵌まり合うようになっており、それによって、隣接する各壁面構築パネルユニットを面一に組み立てることができる。
【００３４】
さらに、この発明において、前記壁面構築パネルユニットＵは、パネル吊り下げ手段２５を含むものからなっている。前記パネル吊り下げ手段２５は、図７および図８に示すように、前記壁面構築パネルユニットＵの上部側に一対のものとして設けてある。一例において、前記パネル吊り下げ手段２５は、イナズマ金具部材２６、締付けボルト２７、パネルユニットＵにおける壁面パネル層１に設けた孔に嵌まり合う丸パイプ部材２８、固定ナット部材２９並びに前記上部生地梁２３に取り付けてあるＬ型鋼３０との組み合わせによって構成されているものである。このパネル吊り下げ手段２５の他の例として、図７において仮想線で示すパネル吊り下げ手段２５Ａを組み合わせたものであってもよい。このパネル吊り下げ手段２５Ａは、上部生地梁２３Ａに対し、アングル部材などを介して、前記金属製枠組立体２の外周枠体５における上縁枠５ｂを固定支持して吊り下げるように構成したものであってもよい。
【００３５】
この発明では、この段階において、前記第２の壁面構築パネルユニットＵ２の端縁面Ｕｂ側から、当該第２の壁面構築パネルユニットＵ２における連結ボルト案内手段１１内に連結ボルト１２が挿通され、前記第１の壁面構築パネルユニットＵ１側に設けてある固定ナット１７に連結ボルト１２の先端側をねじ込んで、前記第１の壁面構築パネルユニットＵ１に、前記第２の壁面構築パネルユニットＵ２を固定連結されるようになっている。
【００３６】
次いで、前記第３の壁面構築パネルユニットＵ３が、第２の壁面構築パネルユニットＵ２における端縁面Ｕｂに対して、パネルユニットＵ３における端縁面Ｕａが当接するように組み立てられる。この場合、前記第３の壁面構築パネルユニットＵ３の端縁面Ｕａに設けたガイド部材１３が、前記第２の壁面構築パネルユニットＵ２における端縁面Ｕｂ側のチャンネル開口８に嵌まり合うようになっており、それによって、隣接する各壁面構築パネルユニットを面一に組み立てることができる。
【００３７】
この発明では、この段階において、前記第３の壁面構築パネルユニットＵ３の端縁面Ｕｂ側から、当該第３の壁面構築パネルユニットＵ３における連結ボルト案内手段１１内に連結ボルト１２が挿通され、前記第２の壁面構築パネルユニットＵ２側に設けてある固定ナット１８に連結ボルト１２の先端側をねじ込んで、前記第２の壁面構築パネルユニットＵ２に、前記第３の壁面構築パネルユニットＵ３を固定連結されるようになっていて、一連なりの集合壁面ＡＷが構築されることになる。
【００３８】
さらに、この発明は、当該壁面構築パネルユニットの連結施工方法を構成するものでもある。この発明になる連結施工方法は、金属製枠組立体２と、この金属製枠組立体２の少なくとも一方の面に重ね合わせ状に固着される壁面パネル層１とによって構成される壁面構築パネルユニットＵを、その壁面パネル層の表面が面一になるように、隣接する壁面構築パネルユニットの端縁面を突き合わせ状に連結するものであって、少なくとも２枚の壁面構築パネルユニットＵの端縁面を突き合わせた状態で、連結ボルト案内手段１１に連結ボルト１２を挿通して、隣接する壁面構築パネルユニットＵを連結する工程と、連結された前記壁面構築パネルユニットにおける壁面パネル層１の外表面に漆喰などを上塗りして表装材層を形成する工程とからなっている。
【００３９】
図５に示す具体的な実施例によれば、上記する手順で連結された集合壁面ＡＷに対して、例えば、漆喰仕上げの場合は、先ず、各壁面構築パネルユニットＵの突き合わせ面における面取り部３１間に漆喰材３２を充填塗布しながら、連結部分を包囲するようにして、ひび割れを防止するための、例えば、ガラス繊維ネット、アラミド繊維ネットなどのひび割れ防止材層３３を設け、さらに、漆喰材３４を上塗りして、壁面構築パネルユニットＵ１、Ｕ２、Ｕ３からなる集合壁面ＡＷを仕上げるものである。
【図面の簡単な説明】
【００４０】
【図１】図１は、この発明になる壁面構築パネルユニットの連結構造の具体的な構成例を示すものであって、３枚の壁面構築パネルユニットを連結して、一つの集合壁面を構築する態様例を示す概略的な正面図である。
【図２】図２Ａは、図１に示す態様例を右サイドからみた概略的な右側面図であり、図２Ｂは、図１に示す態様例を上からみた概略的な平面図である。
【図３】図３は、金属製枠組立体の両面に壁面パネル層を有する３枚の壁面構築パネルユニットＵ１、Ｕ２、Ｕ３を連結し、一つの集合壁面ＡＷを構築する態様例を示す概略的な正面図である。
【図４】図４は、上記図３に示す態様例について、これを右サイドからみた概略的な右側面図である。
【図５】図５は、上記図３に示す態様例に関して、図３中、５Ｘ−５Ｘ線に沿って矢示方向にみた部分的に破断した概略的な５Ｘ−５Ｘ線拡大断面図である。
【図６】図６は、上記図３に示す態様例に関して、図３中、６Ｙ−６Ｙ線に沿って矢示方向にみた下部構造の詳細を示す概略的な拡大断面図である。
【図７】図７は、図３中、６Ｙ−６Ｙ線に沿って矢示方向にみた上部構造の詳細を示す概略的な拡大断面図である。
【図８】図８は、図７におけるイナズマ金具の取付け部の詳細を一部破断して示す概略的な斜視図である。
【図９】図９は、壁面構築パネルユニットＵの具体的な構成例を示す概略的な正面図である。
【図１０】図１０は、壁面構築パネルユニットＵに関して、突き合わせ連結部の具体的な構成例を示す概略的な斜視図である。
【符号の説明】
【００４１】
１  壁面パネル層
１ａ  壁面パネル層の表面側
２  金属製枠組立体
３  表装手段
４  接合層手段
５  外周枠体
６Ａ  縦補強梁
６Ｂ  横補強梁
７  リップ溝型鋼
８  チャンネル開口
９  剛域機構
Ｕ  壁面構築パネルユニット
Ｕａ、Ｕｂ、Ｕｃ  壁面構築パネルユニットの端縁面
Ｕ１  第１の壁面構築パネルユニット
Ｕ２  第２の壁面構築パネルユニット
Ｕ３  第３の壁面構築パネルユニット
１１  連結ボルト案内手段
１２  連結ボルト
１３  ガイド部材
１４  高さ調節手段
１５  高さ調節ボルト
１６  上下方向レベル合わせ手段
２１  コンクリート基礎
２２  生地支柱
２３  上部生地梁
２４  下部生地梁
２５  パネル吊り下げ手段
２６  イナズマ金具部材
２８  丸パイプ部材
３１  面取り部
３３  ひび割れ防止材層
ＡＷ  集合壁面
【図１】
2005127023.tif 000003
【図２】
2005127023.tif 000004
【図３】
2005127023.tif 000005
【図４】
2005127023.tif 000006
【図５】
2005127023.tif 000007
【図６】
2005127023.tif 000008
【図７】
2005127023.tif 000009
【図８】
2005127023.tif 000010
【図９】
2005127023.tif 000011
【図１０】
2005127023.tif 000012